(57)【要約】【課題】片持ち式張り出し歩道の各ブロック間の隙間調整を簡単かつ能率的に行え、しかも、時間経過によっても目地コンクリートが落下しないようにし道路の直線部分のみならず、曲線部分においても効果的に施工可能な張り出し歩道構造を提供する。【解決手段】    地盤側に支持される基部（１１）と一体成型されて基部から横方向に張り出して歩道部１２とした複数の張り出し歩道ブロック１０Ａ、１０Ｂ、１０Ｃ．．．を併設する。各歩道ブロックには隣接する歩道ブロックと係合しかつ縦軸回りに回動しつつ歩道部どうしの間隙を扇形に開閉する軸係合部２４が設けられる。隣接ブロックの隙間調整を高精度にかつ短時間で行なう。【選択図】図１                    
2005076236.tif 000002
【特許請求の範囲】
【請求項１】
地盤側に支持される基部と一体成型されて基部から横方向に張り出して歩道部とした複数の張り出し歩道ブロックを含み、
これらの張り出し歩道ブロックを併設するにあたり、各歩道ブロックには隣接する歩道ブロックと係合しかつ縦軸回りに回動しつつ歩道部どうしの間隙を扇形に開閉する軸係合部が設けられたことを特徴とする曲線敷設対応形張り出し歩道構造。
【請求項２】
基部は地盤に敷設される土台部からなるとともに歩道部は該土台部の一端側から片持ち状に張り出した歩道板からなり、
軸係合部は土台部と歩道板との接合部に設けられたことを特徴とする請求項１記載の曲線敷設対応形張り出し歩道構造。
【請求項３】
軸係合部は、１つの張り出し歩道ブロック側から突設する縦長状の円弧柱と、隣接する他の張り出し歩道ブロック側に設けられ円弧柱に嵌合しつつ軸回り回動する縦長円弧凹部を含む請求項２記載の曲線敷設対応形張り出し歩道構造。
【請求項４】
歩道板には、張り出し歩道ブロックを軸係合部周りに回動させた際に形成される隣接の歩道板との間の隙間に充填されるコンクリートを下から受けるように受け片が一体的に設けられた請求項１ないし３のいずれかに記載の曲線敷設対応形張り出し歩道構造。
【請求項５】
土台部は、張り出し側の外壁と、外壁に平行に配置された控え壁と、外壁と控え壁との間にこれらに直交方向に連設された１個または複数のリブ壁と、により形成された請求項１ないし４のいずれかに記載の曲線敷設対応形張り出し歩道構造。
【請求項６】
請求項１ないし５のいずれかに記載の曲線敷設対応形張り出し歩道構造に用いられる張り出し歩道ブロック。
【発明の詳細な説明】
【技術分野】
【０００１】
本発明は、山間部、内海沿岸、湖水際等の道路拡幅に際し歩道を谷側や水辺側に張出して敷設する際の歩道であって、特に曲線状の敷設にも対応しうる張出歩道構造ならびにその張り出し歩道ブロックに関する。
【背景技術】
【０００２】
山間部、内海沿岸、湖水際、その他、大小の崖地などにおいて道路が狭小化し歩道と車道の区別もないような箇所や歩道幅が極めて狭く歩行に危険であるような場所が相当に存在し、その対策が急務となっている。また、このような、山間部、内海、河川岸等では道路が蛇行したりあるいは大きくカーブする部分が一般に存在する。近時、このような狭小道路に歩道を確保するために、谷側等に道路を張り出して歩道とする方法が提案されている。例えば、特開平１０−２８０３０５号は、斜面の下部地盤３に支柱４を並設し地盤側のスラブ受台５と支柱４とに歩道用スラブ９の両端を受けさせて支持させるものが提案されている。しかしながら、この構造では斜面の下部に支柱を立設させる地盤が存在することが前提であり、地盤が確保しにくい谷部、内海沿岸、湖水際等では採用し得ない。これに対し、支持が取れない谷側や海、河川側に歩道板を張り出して歩道板の一端側のみを土台側で片持ち状に支持しつつ張り出し歩道を設けたものが考えられ、これによれば、張り出し側の十分な支持がない状況でも施工が可能である。図１３は、片持ち式の張り出し歩道の例を示したものであり、図１３−１では土台Ｄに片持ち支持された歩道部Ｈは、張り出し側に膨らんだカーブの道路、図１３−２は、張り出し側が凹んで曲げられたカーブの道路を示している。
【特許文献１】特開平１０−２８０３０５号（特許請求の範囲、図２）
【発明の開示】
【発明が解決しようとする課題】
【０００３】
図１３−１、図１３−２の張り出し歩道では、張り出し方向側での支持が得られない場合でも施工が可能であるが、カーブ部分での個々の張り出し歩道ブロックの幅サイズや形状は一様ではなく、成型された大型コンクリートブロックの現場施工時に装置を用いて一部加工して削ったり、あるいは型枠を構築して新たに形状を追加するのが通常であった。さらに、大あるいは小の曲がり部分で生じた隣接するブロック間の隙間に例えば目地コンクリート等を充填して固化させて連結していた。例えば、図１４は、隣接の歩道板スラグの突合せ部分の断面を示しており、下部にベニヤ板４０１をあてがって金属線４０２を介して支持棒４０３で支持し、互いにＶ溝４０４状に凹設した突合せ面間にコンクリートＲを充填し、さらに上部に他のベニヤ板４０５を被着させて固化させて仕上げとしていた。固化後はそれらの目地補充用器具は撤去される。しかしながら、施工現場の地形、地盤変化、車道側の交通による振動、不等沈下等により隣接する張り出し歩道ブロック同士の間の隙間が拡大し、このためにコンクリートＲがひび割れて落下するおそれがあった。また、もともと張り出し歩道の工事対象となるような部分は一般に道幅が狭く、このような状況で３０トン程度の大型クレーンで吊支して配置し、各ブロック間の間隙設定を高精度に行うことが難しく、作業時間もかかり、全体の作業効率の改善を阻害するものであった。さらに、急激な曲がりを有する道路部分では、危険性が大きく調整が困難で工事が長期化するきらいがあった。
【０００４】
本発明は、上記従来の課題に鑑みてなされたものであり、その１つの目的は、片持ち式張り出し歩道の各ブロック間の隙間調整を簡単かつ能率的に行え、しかも、時間経過によっても目地コンクリートが落下しないようにし道路の直線部分のみならず、曲線部分においても効果的に施工可能な曲線敷設対応形張り出し歩道構造ならびにその張り出し歩道ブロックを提供することである。また、本発明の他の目的は、カーブ勾配が急な狭隘道路においても、短い期間で高能率に施工作業を行える曲線敷設対応形張り出し歩道構造並びにその張り出し歩道ブロックを提供することである。
【課題を解決するための手段】
【０００５】
上記の目的を達成するために、本発明は、地盤側に支持される基部（１１）と一体成型されて基部から横方向に張り出して歩道部１２とした複数の張り出し歩道ブロック１０Ａ、１０Ｂ、１０Ｃ．．．を含み、これらの張り出し歩道ブロックを併設するにあたり、各歩道ブロックには隣接する歩道ブロックと係合しかつ縦軸回りに回動しつつ歩道部どうしの間隙を扇形に開閉する軸係合部２４が設けられたことを特徴とする曲線敷設対応形張り出し歩道構造から構成される。
【０００６】
その際、基部は地盤５０１に敷設される土台部１１からなるとともに歩道部１２は該土台部の一端側から片持ち状に張り出した歩道板１８からなり、軸係合部２４は土台部１１と歩道板１８との接合部に設けるとよい。
【０００７】
また、軸係合部２４は、１つの張り出し歩道ブロック側から突設する縦長状の円弧柱２５と、隣接する他の張り出し歩道ブロック側に設けられ円弧柱に嵌合しつつ軸回り回動する縦長円弧凹部２６を含むようにするとよい。
【０００８】
また、歩道板１８には、張り出し歩道ブロックを軸係合部２４周りに回動させた際に形成される隣接の歩道板１８との間の隙間に充填されるコンクリートＲを下から受けるように受け片２０が一体的に設けられたこととするとよい。
【０００９】
また、土台部１１は、張り出し側の外壁１３と、外壁に平行に配置された控え壁（１４）と、
外壁と控え壁との間にこれらに直交方向に連設された１個または複数のリブ壁１５，１６
と、により形成するとよい。
【００１０】
また、本発明は、上記のいずれかに記載の曲線敷設対応形張り出し歩道構造に用いられる張り出し歩道ブロック１０Ａ、１０Ｂ、１０Ｃ．．．から構成される。
【発明の効果】
【００１１】
本発明の曲線敷設対応形張り出し歩道構造は、地盤側に支持される基部と一体成型されて基部から横方向に張り出して歩道部とした複数の張り出し歩道ブロックを含み、これらの張り出し歩道ブロックを併設するにあたり、各歩道ブロックには隣接する歩道ブロックと係合しかつ縦軸回りに回動しつつ歩道部どうしの間隙を扇形に開閉する軸係合部が設けられた構成であるから、短時間でしかも確実、高精度に隣接する歩道ブロック間の隙間調整を行え、特に、道路の複雑なカーブ部分にも対応して高能率の張り出し歩道を施工することができる。
【００１２】
また基部は地盤に敷設される土台部からなるとともに歩道部は該土台部の一端側から片持ち状に張り出した歩道板からなり、軸係合部は土台部と歩道板との接合部に設けられた構成とすることにより、土台部と歩道板との接合部における土台部の外壁等を利用して縦方向の互いに嵌合する共通軸を簡易に構成しうる。
【００１３】
また、軸係合部は、１つの張り出し歩道ブロック側から突設する縦長状の円弧柱と、隣接する他の張り出し歩道ブロック側に設けられ円弧柱に嵌合しつつ軸回り回動する縦長円弧凹部を含む構成とすることにより、各歩道ブロックの一体成型によるその一部への軸係合部の構成を具現化しうる。
【００１４】
さらに、歩道板には、張り出し歩道ブロックを軸係合部周りに回動させた際に形成される隣接の歩道板との間の隙間に充填されるコンクリートを下から受けるように受け片が一体的に設けられた構成とすることにより、施工後、経時的に振動や不等沈下等により隙間が開いても歩道板に一体成型されて突設された受け片により確実に受けてその落下を防止し、安全性を確保しうる。また、目地コンクリートの充填接合にベニヤ、針金、支持用丸棒等のコンクリート支持部材が不要であり、施工作業時間を短縮し得る。
【００１５】
さらに、土台部は、張り出し側の外壁と、外壁に平行に配置された控え壁と、外壁と控え壁との間にこれらに直交方向に連設された１個または複数のリブ壁と、により形成された構成とすることにより、リブ壁により形成された土台部どうしの隙間や土台部自体へコンクリートを充填して土台部全体を一体化しうるとともに、リブ壁に連結鉄筋を挿入して併設される歩道ブロックどうしの連結を強固にし得る。
【発明を実施するための最良の形態】
【００１６】
本発明の曲線敷設対応形張り出し歩道構造は、地盤側に支持される基部（１１）と一体成型されて基部から横方向に張り出して歩道部１２とした複数の張り出し歩道ブロック１０Ａ、１０Ｂ、１０Ｃ．．．を含み、これらの張り出し歩道ブロックを併設するにあたり、各歩道ブロックには隣接する歩道ブロックと係合しかつ縦軸回りに回動しつつ歩道部どうしの間隙を扇形に開閉する軸係合部２４を設けたものであり、軸係合部を軸として両端側を回動させうるので張り出し方向位置並びに隣接する歩道ブロックどうしの相対位置も一定となって、大型クレーン操作を行いながら隙間調整を行うとしても短時間で高精度に行える。軸係合部２４は隣接する歩道ブロックどうしが一つの支軸を介して回動できればよく、例えば互いに軸受孔を有する軸受孔フレームを土台部等から互いに突設させ、位置合わせした状態で軸棒を貫挿させるようにしてもよい。また、軸係合部を設ける位置は土台部の任意位置であるとよい。特に、土台部に重心があるときには土台部に軸係合部を形成させるのが効果的である。軸係合部は縦軸方向に長い１つの係合部分で形成してもよいし、また、複数に分散させて縦方向に設けてもよい。
【００１７】
軸係合部２４は、１つの張り出し歩道ブロック側から突設する縦長状の円弧柱２５と、隣接する他の張り出し歩道ブロック側に設けられ円弧柱に嵌合しつつ軸回り回動する縦長円弧凹部２６を含むようにするのが歩道板との一体成型とする上で製造しやすく、好ましい。
【００１８】
また、歩道板１８には、張り出し歩道ブロックを軸係合部２４周りに回動させた際に形成される隣接の歩道板１８との間の隙間に充填されるコンクリートＲを下から受けるように受け片２０が一体的に設けられたこととするとよい。受け片２０の具体的な構成は特に限定されないが、例えば相欠き状の継ぎ手接続形態とするのが製造、加工上簡単でよい。
【実施例１】
【００１９】
以下、添付図面を参照しつつ本発明の曲線敷設対応形張り出し歩道構造の実施例について説明する。図１ないし図１０は、本発明の実施例１の曲線敷設対応形張り出し歩道構造ならびにそれに用いられる張り出し歩道ブロックを示しており、本実施例において、曲線敷設対応形張り出し歩道構造は、図３、４、１０に示すように車道ＣＴ側となる地盤に一部を設置し、地盤線５００から外方側に張り出して歩道ＷＴが片持ち状に配置支持される片持ち支持タイプの張り出し道路構造であり、複数の張り出し道路ブロックを併設することにより構築される。
【００２０】
図１、図２は、該張り出し歩道構造に用いられる１つの張り出し歩道ブロック１０を示しており、図において、この張り出し歩道ブロック１０は、土台部１１と、歩道部１２と、をコンクリート一体成型により製造して構成されている。
【００２１】
土台部１１は、図１０にも示すように施工完成時には地盤に埋め込まれて支持用土台を構成する張り出し歩道ブロックの基部となる部位であり、本実施例では、縦壁体を接合させた枠体構造から構成されている。実施例において、土台部１１は、歩道部の張り出し側に面するように配置された外壁１３と、外壁に離隔して平行に配置された内壁１４と、外、内壁１３，１４間において内部に四角形状の空隙を形成させるように外、内壁１３，１４の対向面に直角であって離隔して平行に接合された２個のリブ壁１５，１６とを含み、底部を設けない枡形状に構成されている。２個のリブ壁１５，１６は外、内壁の横幅より幅方向のやや中央側寄りにおいて両壁１３，１４に連結固定されている。実施例において、外壁１３は内壁１４よりも高さが高く形成されている。リブ壁１５，１６には、各々連結鉄筋の挿入孔１７が穿孔され、複数の張り出し歩道ブロックを併設した状態で複数の歩道ブロックの孔１７を串刺し状に貫通し、その状態で隣接するブロックの土台部どうしの間隙部分にコンクリートを充填固化して一体化させ、これによって、張り出し歩道の強固な支持用土台を形成させる。道路の長手方向に略沿う様に立てて配置された内壁１４はその両端が互いに空間上嵌合し得るように相欠き状の切欠き１４１，１４２が形成されている。これらの切欠き１４１，１４２は、隣接する張り出し歩道ブロック同士の第１の間隙吸収部３０１を構成する。
【００２２】
歩道部１２は、土台部１１と一体成型されて土台部から横方向に張り出してその上面側を歩道とされる部位であり、本実施例では外壁１３の上部側から張り出し方向Ｐとなる横方向に張り出して片持ち状に支持される。歩道部１２は外壁１３の上部側から横方向に突設された歩道スラブとしての長矩形状歩道板１８を含み、図１０に示すように歩道板１８は、上下に板面を向けて土台部の外壁１３の上端部から水平方向に突設されるとともに下面側は細長い三角形状の補強壁１９が歩道板と外壁の上端部とに同時に接合される形態でこれらと一体成型により垂設されている。そして、図５、図６にも示すように歩道板１８の上面は平坦面で幅方向両側の辺のいずれかが隣に配置される歩道ブロックの受け片２０を形成するとともに、他端側には隣の歩道ブロックの受け片に載着される載置片２１がそれぞれ歩道板本体に一体成型により突設されている。
【００２３】
受け片２０は、歩道板１８の長辺側全長縁部において上側隅部をＬ字状に切り欠いて下側に水平突設片を形成させてなり、該受け片２０の段差落ち上面に隣接する張り出し歩道ブロックの載置片２１が載置されて隣接のブロック同士が接続される。これらの受け片２０及び載置片２１は隣接する歩道ブロック同士の間隙調整時の第２の間隙吸収部３０２を構成する。載置片２１は、歩道板１８の受け片２０の他端側となる長辺側全長の縁部に沿って下側隅部をＬ字状に切り欠いて上側に水平突設片を形成させてなり、それぞれ水平方向に突設した載置片２１及び受け片２０が互いのＬ字切欠き部分に配置されることにより相欠き継ぎ手状に隣接するブロックの歩道板部分が接続される。このとき、該載置片２１の突設下面が受け片２０の段差落ち上面に載置される。
【００２４】
また、歩道部１２の歩道板１８の張り出し端側には歩道面より段上がりし道路長手方向に長く段上がりレール部（地覆）が形成され該段上がりレール部の幅方向両側には図７、図９に示すように手摺り等の端保護体支持ポスト２２の支持用凹部２３が設けられている。
【００２５】
本実施形態において特徴的なことは、これらの張り出し歩道ブロックを併設して張り出し歩道を施工するにあたり、隣接する歩道ブロックどうしが共通の軸で相対回転しうるように設けられたことであり、本実施例では、それぞれの歩道ブロック本体に一体成型により形成されて縦方向を軸として軸回転するように嵌合する突部と凹部から構成されている。
【００２６】
すなわち、各歩道ブロック１０Ａ、１０Ｂ、１０Ｃ．．．には隣接する歩道ブロックと係合しかつ縦軸回りに回動する軸係合部２４が設けられており、この軸係合部２４を介して歩道部１２どうしの間隙を扇形に開閉しつつ間隙調整が行われる。本実施例において、軸係合部２４は、図１、図２に示すように、土台部１１と歩道板歩道部１２との接合部分であって、歩道板の基部に設けられている。詳細には、軸係合部２４は、１つの張り出し歩道ブロック側から突設する縦長状の円弧柱２５と、隣接する他の張り出し歩道ブロック側に設けられ円弧柱２５に嵌合しつつ縦軸回りに回動する縦長円弧凹部２６を含む。円弧柱２５は、１つの歩道ブロック１０の受け片２０の外壁１３寄り部分において外壁の全高にわたって縦長に形成されている。縦長円弧凹部２６は、載置片２１側であって該載置片の突設直下位置から外壁の全高にわたって縦長に形成されている。これらの円弧柱２５と縦長円弧凹部２６とが嵌合した状態でこの軸係合部２４が共通の枢支軸を形成し、これによって、歩道ブロックを併設する際に張り出し方向長さが一定となり、その状態で扇形状の開閉ができ間隙調整を簡易に精度よく行える。なお、実施例では、１個の張り出し歩道ブロックは、例えば５トン程度の大型重量物であり、大型のクレーン等を用いて吊支しながら設置される。
【００２７】
次に、本実施例の作用について説明すると、図３のように設計上の地盤線５００に沿ってクレーン等により吊り込んで各張り出し歩道用ブロック１０を併設していく。そして、図４のように円弧柱２５と縦長円弧凹部２６とを嵌合状態とし、この状態でさらに吊りこみ支持状態とすると軸係合部２４の共通軸周りに隣接する歩道ブロックどうしが縦軸周りに回動し、相互のブロック同士の隙間調整を短時間で確実かつ高精度に行える。その際、調整により生じた第１、第２間隙吸収部３０１、３０２の隙間部分にコンクリートを目地材として充填し固化接合する。この場合、図８に示すように、目地コンクリートは、歩道板に一体成型された受け片２０により下部から受けられているので経時的に振動や不等沈下等によりコンクリートにひび割れが生じても落下することなく、簡単に補修することができる。なお、図１０中、２７は隣接する歩道ブロックの土台部の鉄筋挿入孔１７を串刺し状に貫通してコンクリートにより埋め込みされる連結鉄筋、５０１は車道側地盤、５０２は縁石である。土台部１１の固定に際しては、隣接する歩道ブロックの土台部１１同士の間隙、あるいは土台部の空隙部分などに地盤掘削調整時の砕石や他のコンクリート破砕片等を投入しておいて生コンクリートを充填することにより、埋め立て処理廃棄物等を少なくし得るので環境保全の点で好ましい。
【００２８】
上記した曲線敷設対応形張り出し歩道構造は、実施例１のタイプの歩道用ブロックにのみ限られるものではない。例えば、図１１、図１２は、該張り出し歩道構造に適用される種々のタイプのブロックの数例を示しており、実施例１と同一部材には同一符号を付し詳細説明は省略して示すと、例えば図１１はリブ壁１５は内、外壁の幅方向中央部に１個のみ設けられ、連結鉄筋用挿入孔は２個形成した例を示す。実施例１と同様に軸係合部２４は歩道部１２と土台部１１との接合部に形成されている。また、図１２は、他のタイプの歩道用ブロックであり、土台部１１が有底箱体形状から構成されており、鉄筋挿入孔１７は小径で形成されているが、土台部１１の箱体の内部にコンクリート硬化体を投入して隣接ブロック同士の連結を強固にし得るようにしたものであり、これらのいずれについても本発明の曲線敷設対応形張り出し歩道構造について適用してもよいものである。この例では、箱体内の空隙部分に地盤掘削調整時の砕石や他のコンクリート破砕片等を投入しておいて生コンクリートを充填することにより、埋め立て処理廃棄物等を少なくし得るので環境保全の点でより好ましい。
【００２９】
以上説明した、本発明の曲線敷設対応形張り出し歩道構造は、上記した実施例にのみ限定されるものではなく、本発明の本質を逸脱しない範囲において、任意の改変を行ってもよい。
【産業上の利用可能性】
【００３０】
本発明の曲線敷設対応形張り出し歩道構造ならびにその張り出し歩道ブロックは、山間部、内海沿岸、湖水際等の道路部分での歩道構築、その他任意の張り出し側支持が取りにくい箇所について適用可能である。
【図面の簡単な説明】
【００３１】
【図１】本発明の実施形態に係る曲線敷設対応形張り出し歩道構造に用いられる歩道用ブロックの概略斜視図である。
【図２】図１のブロックを他の方向から見た概略斜視図である。
【図３】図１のブロックを用いて曲線敷設対応形張り出し歩道構造を実施する際の施工途中の平面配置説明図である。
【図４】図３の状態から隣接する歩道ブロック同士を嵌合させて軸係合部の軸周りの回動状態を示す作用説明図である。
【図５】図４の状態で歩道板側から見た正面図である。
【図６】図１の歩道ブロックを土台部側から見た背面図である。
【図７】隣接する歩道ブロックを接合させる際の歩道板先端側の固定状態を示す説明図である。
【図８】隣接する歩道ブロックを接合させる際の受け片と載置片との接合部分の断面説明図である。
【図９】図７の歩道板先端側の接合部分の横断面説明図である。
【図１０】図３，４の複数の歩道ブロックの施工状態の縦断面説明図である。
【図１１】本発明の曲線敷設対応形張り出し歩道構造に用いられる他の歩道用ブロックの斜視説明図である。
【図１２】さらに、本発明の曲線敷設対応形張り出し歩道構造に用いられる他の歩道用ブロックの斜視説明図である。
【図１３−１】張り出し歩道構造が実施されるカーブ部分を示す説明図である。
【図１３−２】同じく、張り出し歩道構造が実施されるカーブ部分を示す説明図である。
【図１４】従来の歩道ブロックの接合部におけるコンクリート充填状態を示す断面説明図である。
【符号の説明】
【００３２】
１０    張り出し歩道ブロック
１１    土台部
１２    歩道部
１３    外壁
１４    内壁
１５    リブ壁
１８    歩道板
２０    受け片
２１    載置片
２４    軸係合部
【図１】
2005076236.tif 000003
【図２】
2005076236.tif 000004
【図３】
2005076236.tif 000005
【図４】
2005076236.tif 000006
【図５】
2005076236.tif 000007
【図６】
2005076236.tif 000008
【図７】
2005076236.tif 000009
【図８】
2005076236.tif 000010
【図９】
2005076236.tif 000011
【図１０】
2005076236.tif 000012
【図１１】
2005076236.tif 000013
【図１２】
2005076236.tif 000014
【図１３−１】
2005076236.tif 000015
【図１３−２】
2005076236.tif 000016
【図１４】
2005076236.tif 000017